(57)【特許請求の範囲】
【請求項１】
光ディスクに光を照射するレーザ光源のリードパワー発光及びライトパワー発光の制御を行うレーザコントロール回路であって、
前記レーザ光源の発光パワーをモニタする受光素子からの出力電流を電圧に変換し増幅するアンプと、
サンプリング信号によりリードパワー時に前記アンプの出力電圧をサンプリングし、ライトパワー時にホールドする第１サンプルホールド回路と、
サンプリング信号により前記アンプの出力電圧をライトパワー時にサンプリングし、リードパワー時にホールドする第２サンプルホールド回路と、
前記第１サンプルホールド回路の出力電圧と第１基準電圧を比較する第１比較器と、
前記第２サンプルホールド回路の出力電圧と第２基準電圧を比較する第２比較器と、
前記第１比較器及び前記第２比較器からの出力電圧に比例した電流を前記レーザ光源に出力し、かつリードパワー発光とライトパワー発光を切換えるレーザドライバと、
ライトパワーからリードパワーに切換わった場合に前記第１サンプルホールド回路がリードパワーに対応する前記アンプの出力電圧になる前にサンプリングを行ったときに生ずるリードパワーに対応する前記アンプの出力電圧に対する擬似オフセットを打ち消す第１補正電圧を前記第１サンプルホールド回路の出力電圧または前記第１基準電圧に足し込む第１補正手段と
を備え、前記第１補正電圧にはさらに前記第１サンプルホールド回路のホールドステップを打ち消す電圧を加えたことを特徴とするレーザコントロール回路。
【請求項２】
請求項１記載のレーザコントロール回路において、
ライトパワーと擬似オフセットの関係を表す関係式の補正係数を格納するメモリと、
ライトパワーと前記メモリに格納された補正係数とにより前記第１補正電圧を計算する演算手段と
を設けたことを特徴とするレーザコントロール回路。
【請求項３】
請求項２記載のレーザコントロール回路において、
前記メモリは書き込み速度毎の前記補正係数を複数格納しており、
ライトパワーと書き込み速度に合致した前記補正係数とにより前記第１補正電圧を計算する演算手段
を設けたことを特徴とするレーザコントロール回路。
【請求項４】
請求項２または３記載のレーザコントロール回路において、
前記第１サンプルホールド回路の出力電圧をモニタするモニタ手段を設け、
前記第１補正電圧に前記第１サンプルホールド回路のホールドステップを打ち消す電圧を加える前に、前記受光素子の出力値がリードパワーに対応するレベルにあるときに前記第１サンプルホールド回路のサンプルホールドした出力電圧を前記モニタ手段でモニタすることによりホールドステップを求め、ライトパワーを複数回変化させながら各ライトパワーにて所定の書き込み速度で書き込みを開始した時点での前記モニタ手段でモニタした結果からホールドステップ分を除いて擬似オフセット分を求め、これらの擬似オフセット分と前記各ライトパワーとの関係から前記補正係数を求めることを特徴とするレーザコントロール回路。
【請求項５】
光ディスクに光を照射するレーザ光源のリードパワー発光及びライトパワー発光の制御を行うレーザコントロール回路であって、
前記レーザ光源の発光パワーをモニタする受光素子からの出力電流を電圧に変換し増幅するアンプと、
サンプリング信号により前記アンプの出力電圧をリードパワー時にサンプリングし、ライトパワー時にホールドする第１サンプルホールド回路と、
サンプリング信号により前記アンプの出力電圧をライトパワー時にサンプリングし、リードパワー時にホールドする第２サンプルホールド回路と、
前記第１サンプルホールド回路の出力電圧と第１基準電圧を比較する第１比較器と、
前記第２サンプルホールド回路の出力電圧と第２基準電圧を比較する第２比較器と、
前記第１比較器及び前記第２比較器からの出力電圧に比例した電流を前記レーザ光源に出力し、かつリードパワー発光とライトパワー発光を切換えるレーザドライバと、
リードパワーからライトパワーに切換わった場合に前記第２サンプルホールド回路がライトパワーに対応する前記アンプの出力電圧になる前にサンプリングを行ったときに生ずるライトパワーに対応する前記アンプの出力電圧に対する擬似オフセットを打ち消す補正電圧を前記第２サンプルホールド回路の出力電圧または前記第２基準電圧に足し込む補正手段と
を備え、前記補正電圧にはさらに前記第２サンプルホールド回路のホールドステップを打ち消す電圧を加えたことを特徴とするレーザコントロール回路。
【請求項６】
請求項５記載のレーザコントロール回路において、
リードパワーと前記擬似オフセットの関係を表す関係式の補正係数を格納するメモリと、
リードパワーと前記メモリに格納された補正係数とにより前記補正電圧を計算する演算手段と
を設けたことを特徴とするレーザコントロール回路。
【請求項７】
請求項６記載のレーザコントロール回路において、
前記メモリは読み込み速度毎の前記補正係数を複数格納しており、
リードパワーと読み込み速度に合致した前記補正係数とにより前記補正電圧を計算する演算手段
を設けたことを特徴とするレーザコントロール回路。
【請求項８】
光ディスクに光を照射することにより情報の記録を行う光ディスク装置であって、請求項１〜７のいずれか１つに記載のレーザコントロール回路によりレーザ光源の光出力を制御することを特徴とする光ディスク装置。
【発明の詳細な説明】
【０００１】
【発明の属する技術分野】
本発明は光ディスクに情報の書き込みが可能である光ディスク装置に関する。
【０００２】
【従来の技術】
今日、マルチメディア時代の主役としてＣＤ（Ｃｏｍｐａｃｔ  Ｄｉｓｃの略で光ディスクの一例）は目覚ましい普及を遂げている。また、ＣＤを読み出し専用メモリのＲＯＭ（Ｒｅａｄ  Ｏｎｌｙ  Ｍｅｍｏｒｙ）に応用したＣＤ−ＲＯＭはＣＤ−ＲＯＭドライブ装置により情報の読み出し（再生、リードともいう）が行われるが、このＣＤ−ＲＯＭドライブ装置はパソコンに標準品として搭載されるようになってきた。
【０００３】
ＣＤの世界はまだまだ発展を遂げており、一度だけ情報の書き込み（記録、ライトともいう）が可能なＣＤ−Ｒ（ＣＤ−Ｒｅｃｏｒｄａｂｌｅ）、何度でも情報の書き込みが可能なＣＤ−ＲＷ（ＣＤ−Ｒｅｗｒｉｔａｂｌｅ）へと応用されてその可能性はとどまることなく進化を遂げている。ＣＤはディスク基板上にデータ列をピットと呼ばれる穴の有無で表現し、これにレーザ光を当ててその反射光変化でデータを読み取る。このデータ列はレコード盤の様にディスク基板上に螺旋状に並べられている。この螺旋状に配された線をトラックと呼んでいる。隣合うトラックの間の距離は１．６ミクロンである。
【０００４】
図１３は一般的なＣＤ−Ｒドライブ装置の構成を示す。光ディスク（ＣＤやＣＤ−ＲＯＭ）１はスピンドルモータ２により回転駆動される。光ピックアップ３は、半導体レーザ（レーザダイオード）からなるレーザ光源、レンズ等の光学系、フォーカスアクチュエータを含むフォーカスサーボ系、トラックアクチュエータを含むトラックサーボ系、受光素子、ポジションセンサ等を内蔵し、半導体レーザから光学系を介して光ディスク１にレーザ光を照射してその反射光を光学系を介して受光素子で受光する。この受光素子の出力信号はリードアンプ４を介して出力される。フォーカスサーボ系はレーザ光の焦点が光ディスク１に合うように光学系のレンズ位置を光ディスク１に垂直な方向に駆動し、トラックサーボ系はレーザ光の焦点が光ディスク１のトラック上をトレースするように光学系のレンズ位置を光ディスク１の半径方向（スレッジ方向）に駆動する。
【０００５】
スピンドルモータ２はモータドライバ５により駆動され、サーボ手段６はリードアンプ４の出力信号を用いてモータドライバ５を制御してスピンドルモータ２の回転速度を一定の速度になるように制御する。光ピックアップ３全体は図示しないシークモータにより光ディスク１の半径方向（スレッジ方向）に駆動され、サーボ手段６はリードアンプ４の出力信号を用いてシークモータを光ディスク１上のレーザ光スポットが目的の場所に位置するように制御する。
【０００６】
光ディスク１からデータを読み出す場合には、光ピックアップ３は半導体レーザから光学系を介して光ディスク１にレーザ光を照射し、その反射光を光学系を介して受光素子で受光して再生信号を得る。この再生信号はリードアンプ４で増幅され２値化（デジタル化）された後にＣＤデコーダ７に入力されてＥＦＭ復調される。ＥＦＭはＥｉｇｈｔ  ｔｏ  Ｆｏｕｒｔｅｅｎ  Ｍｏｄｕｌａｔｉｏｎの略であり、光ディスク１には光学的に再生または記録しやすいように８ｂｉｔのデータを１４ｂｉｔのデータに変調したデータが書かれている。
【０００７】
ＣＤデコーダ７でＥＦＭ復調されたデータは、ＣＤ−ＲＯＭデコーダ８によりデインターリーブ（並べ替え直し）とエラー訂正の処理を受け、バッファマネージャ９により一旦バッファＲＡＭ１０に蓄えられてセクタデータとして揃った段階でＡＴＡＰＩやＳＣＳＩといったインターフェース（Ｉ／Ｆ）１１を介してホストコンピュータに一気に送られる。音楽データの場合はＣＤデコーダ７から出力されるデータはＤ／Ａコンバータ１２に入力されてアナログのオーディオ信号に変換される。
【０００８】
光ディスク１にデータを書き込む時には、Ｉ／Ｆ１１を通してホストコンピュータから送られてきたデータはバッファマネージャ９により一旦バッファＲＡＭ１０に蓄えられ、バッファＲＡＭ１０にある程度データが蓄えられたところでそのデータの書き込みが開始されるが、その前に光ディスク１上のレーザ光スポットを書き込み開始地点に位置させる。この地点はトラックの蛇行によりあらかじめ光ディスク１に刻まれているウォブル信号により求められる。ウォブル信号にはＡＴＩＰと呼ばれる絶対時間情報が含まれており、この情報はリードアンプ４からの再生信号よりＡＴＩＰデコーダ１３により取り出される。
【０００９】
また、ＡＴＩＰデコーダ１３が生成する同期信号はＣＤエンコーダ１４に入力され、光ディスク１上の正確な位置でのデータの書き出しが可能になる。バッファＲＡＭ１０に蓄えられたデータは、ＣＤ−ＲＯＭエンコーダ１５やＣＤエンコーダ１４でエラー訂正コードの付加やインターリーブ（並べ替え）が行われた後にＥＦＭ変調され、発光パワー制御手段としてのレーザコントロール回路（レーザコントローラ）１６、光ピックアップ３を介して光ディスク１に記録される。
【００１０】
図１４は光ピックアップ３の構成を示す。レーザ光源としての半導体レーザ１７を出射したレーザ光は、コリメートレンズ１８、ビームスプリッタ１９を通り、対物レンズ２０により集光されて光ディスク１に光スポットとして照射される。光ディスク１で反射された光は、対物レンズ２０を通ってビームスプリッタ１９でフォトダイオードからなる受光素子４１の方向へ反射され、集光レンズ２２により受光素子４１に集光される。また、半導体レーザ１７の発光パワーをモニタする受光素子は、半導体レーザ１７から後方に出射されたレーザ光をモニタするフォトダイオード、又は半導体レーザ１７から前方に出射されたレーザ光をモニタするフォトダイオード２１が用いられる。
【００１１】
対物レンズ２０は、光ディスク１の記録面と垂直な方向に移動可能であり、フォーカスアクチュエータによりレーザ光スポットが光ディスク１の記録面に形成されるように光ディスク１の記録面と垂直な方向に駆動される。また、対物レンズ２０は、光ディスク１の半径方向に移動可能であり、トラックアクチュエータにより光ディスク１上に螺旋状に記録されたトラックに追従するように駆動される。
【００１２】
ここで、半導体レーザ１７は温度とともに光出力が変化してしまう。これはサーボ系のゲイン特性などに影響を与えるので、半導体レーザ１７の光出力が変化しないようにする必要がある。半導体レーザ１７はその構造上光が両側から出るので、光出力が一定になるように半導体レーザ１７に流れる電流がレーザコントロール回路１６により制御される。この半導体レーザ１７の光出力を一定になるように制御することをＡＰＣ（Ａｕｔｏ  Ｐｏｗｅｒ  Ｃｏｎｔｒｏｌ）という。また、フォトダイオード（以下ＰＤという）からなる受光素子２１が半導体レーザ１７から光ディスク１側とは反対側に出る光を受光する場合には、このＰＤ２１を後方ＰＤという。ＰＤ２１が半導体レーザ１７から光ディスク１側に出る光の一部を受光する場合には、ＰＤ２１を前方ＰＤという。
【００１３】
図１５はＣＤプレーヤのようにリードパワーの制御のみを行う光ディスク装置のレーザコントロール回路の構成を示す。ＰＤ２１の出力は、電流出力で非常に小さいので、一旦アンプ２３で電圧に変換されて（電流のままで制御に用いられる場合もある）増幅される。このアンプ２３の出力は比較器２４により基準電圧と比較され、レーザドライバ２５が比較器２４の出力信号により半導体レーザ１７を駆動する。
【００１４】
アンプ２３の出力が基準電圧より大きければ比較器２４の出力が下がり、アンプ２３の出力が基準電圧より小さければ比較器２４の出力が上がる。これにより、半導体レーザ１７に流れる電流はアンプ２３の出力と基準電圧とが等しくなるように制御される。ここで、ＰＤ２１の出力はＰＤ２１が半導体レーザ１７から受ける光出力パワーに比例するので、基準電圧がいくつのときに半導体レーザ１７からいくらの光出力パワーが出射されるかを求めれば（実際にはパワーメータと呼ばれる光量測定装置で半導体レーザ１７から出射される光出力パワーを測定する）、基準電圧調整で半導体レーザ１７を任意の一定光出力パワーで発光させることができる。一般的には基準電圧はＤ／Ａコンバータなどで与えることが多い。
【００１５】
図１６は、リードパワー及びライトパワーの制御を行う上記ＣＤ−Ｒドライブ装置のレーザコントロール回路１６の構成を示す。ＣＤプレーヤのようにリードパワーの制御しか行わない光ディスク装置のレーザコントロール回路では、一旦半導体レーザ１７の発光パワーとリードアンプ２３の出力電圧との関係を求めておけば、ＰＤ２１の出力が半導体レーザ１７の発光パワーが所望のパワーのときの値になるように半導体レーザ１７の発光パワーを調整すればＡＰＣを行うことができる。
【００１６】
これに対して、リードパワー及びライトパワーの制御を行う上記ＣＤ−Ｒドライブ装置のレーザコントロール回路１６では、アンプ２３の出力電圧は、半導体レーザ１７の発光パワーがリードパワーの時の電圧と、半導体レーザ１７の発光パワーがライトパワーの時の電圧との２値の電圧の方形波となるので、リード時の電圧とライト時の電圧をサンプリングして保持する必要がある。
【００１７】
サンプルホールド（Ｓ／Ｈ）回路２６は、サンプリング信号１によりリードパワー時にアンプ２３の出力電圧をサンプリングし、ライトパワー時にホールドする。サンプルホールド（Ｓ／Ｈ）回路２７は、サンプリング信号２によりライトパワー時にアンプ２３の出力電圧をサンプリングし、リードパワー時にホールドする。サンプルホールド回路２６の出力電圧は比較器２８により基準電圧１と比較され、サンプルホールド回路２７の出力電圧は比較器２９により基準電圧２と比較される。レーザドライバ２５は比較器２８、２９から入力される入力電圧に比例した電流を半導体レーザ１７に流す。また、レーザドライバ２５は入力されたＥＦＭ信号によりライトパワー発光とリードパワー発光を切り換える機能も備えている。
【００１８】
サンプルホールド回路２６、２７は図１７に示すようにアナログスイッチ３０、コンデンサ３１、バッファアンプ３２により構成され、アナログスイッチ３０がサンプリング信号によりオン／オフされる。サンプリング信号がオンになると、アナログスイッチ３０がオンし、この時の入力電圧がコンデンサ３１にチャージされる。サンプリング信号がオフになると、アナログスイッチ３０がオフし、コンデンサ３１にアナログスイッチ３０のオン時にチャージされた電圧が保持される。
【００１９】
図１８はＣＤ−Ｒにデータを書き込む時の半導体レーザ１７の発光パワーを示す。図１８において、時間ｔｓより前の波形が光ディスク１からデータを読み出す場合の半導体レーザ１７の発光パワー波形であり、時間ｔｓより後の波形が光ディスク１にデータを書き込む場合の半導体レーザ１７の発光パワー波形である。光ディスク１からデータを読み出す場合、半導体レーザ１７からは一般的に１ｍＷ以下（具体的には０．４ｍＷ等）のリードパワーの光が一定光量で出力される。リードパワーは、上述のようにレーザコントロール回路１６によって半導体レーザ１７の発光パワーがＡＰＣされることにより、一定光量に保たれる。
【００２０】
一方、ライト時は、半導体レーザ１７がリードパワーとライトパワーの発光パワーを繰り返す。ライトパワーは一般に数ｍＷ〜数十ｍＷである（具体的には５ｍＷ〜２０ｍＷで実際に書き込みを行っている記録特性が良いパワーが選ばれる）。ライトパワーもリードパワーと同様にＡＰＣが行われて一定光量に保たれる。なお、実際のライト時の半導体レーザ１７の発光パワー波形は、光ディスクへの書き込み特性を良くする（光ディスクに書かれるピットの形状を良くする）ため、リードパワーからライトパワーに切り替わった直後にはライトパワーを持ち上げて書き込みを行う。
【００２１】
図１９は上記半導体レーザ（以下ＬＤともいう）１７の出力、サンプリング信号１、サンプリング信号２の波形例を示す。サンプルホールド回路２６はサンプリング信号１によりリードパワー時にアンプ２３の出力電圧をサンプリングし、サンプルホールド回路２７はサンプリング信号２によりライトパワー時にアンプ２３の出力電圧をサンプリングする。サンプルホールド回路２６、２７は実際にはリードパルス、ライトパルスのすべてのパルス（３Ｔ〜１１Ｔ）に対してアンプ２３の出力電圧をサンプリングする場合と、一定幅以上のパルスのみに対してアンプ２３の出力電圧をサンプリングする場合があり、図１９は後者の場合である。
【００２２】
図２０は受光素子２１のスピード（以下帯域という）不足による擬似オフセットが発生する様子を示す。レーザコントロール回路１６にて半導体レーザ１７の発光パワー制御に用いる受光素子２１の帯域が足りないと、リードパワーに対応するアンプ２３の出力電圧をサンプリングする際に、アンプ２３の出力電圧をリードパワーに対応する電圧に落ちる前にサンプリングしてしまうことになるので、（一般的にはアンプ２３の出力電圧をサンプリングする際に十分にリードパワーに対応する電圧に落ちてからサンプリングするように十分に早い帯域を持った受光素子２１を用いる）、サンプルホールド回路２６、２７の出力が恰もオフセットを持っているように見える。これは受光素子の帯域不足による擬似オフセットと呼ぶ。図２０では半導体レーザ１７の光出力を一定としているが、実際に半導体レーザ１７の光出力のＡＰＣを行うと、擬似オフセット分によりリードパワーが低下してしまい、結局図２１に示すように半導体レーザ１７の光出力の制御誤差が生じてしまう。
【００２３】
【発明が解決しようとする課題】
今日、ＣＤ−ＲＯＭドライブ装置やＣＤ−Ｒドライブ装置の読み出し速度はオーディオ再生時などの標準速度に対して３０倍などと非常に高速化されている。また、ＣＤ−Ｒドライブ装置の書き込み速度は読み出し速度に対して後追いとはなっているものの２倍速→４倍速と着実に高速化されている。この書き込み速度の高速化により、半導体レーザの発光パワーを制御するために用いる受光素子の必要帯域もどんどん上がって行くこととなる。
【００２４】
しかしながら、受光素子の必要帯域を上げるにも技術的な課題があり、受光素子の帯域が必要帯域より低い場合には、リードパワーで考えると、図２０に示すようにサンプルホールド回路２６、２７の出力に擬似オフセットが生じてしまう。レーザコントロール回路１６はその擬似オフセットにより半導体レーザ１７の発光パワーが上昇してしまったと思い、半導体レーザ１７の発光パワーを下げる方に制御してしまう。よって、半導体レーザ１７の発光パワー制御に制御誤差が生じてしまう。図２１はこの場合の半導体レーザ１７の発光パワーを示す。なお、図２１ではライトパルスを省略してある。
【００２５】
また、リードパワーだけでなく、ライトパワーでもサンプルホールド回路２７の出力に擬似オフセットが生じてしまい、レーザコントロール回路１６はその擬似オフセットにより半導体レーザ１７の発光パワーを所望のパワーより上げる方に制御してしまう。よって、半導体レーザ１７の発光パワー制御に制御誤差が生じてしまう。
【００２６】
一般的に、サンプルホールド回路では、アナログスイッチがオフになると、アナログスイッチのオン時と比べて出力電圧が異なってしまう。これは一般にホールドステップと呼んでいる。例えば図１６に示す回路では、リード時はサンプルホールド回路２６のアナログスイッチがオンしているが、ライト時はリードパワーサンプリング時以外はオフするので、レーザドライバ２５に入力される電圧がホールドステップにより大きくなる。実際に半導体レーザ１７の発光パワーが上がったわけではないのにレーザコントロール回路１６が半導体レーザ１７の発光パワーが上がったと思うので、半導体レーザ１７の発光パワーを落としてしまう。つまり、リード時とライト時でリードパワーが変わってしまうことになる。半導体レーザ１７の発光パワーの変動はサーボ信号などに悪影響を与えてしまい、信頼性の点で良くない。
【００２７】
光ディスクに同じライトパワーで書き込みを行っても光ディスク毎に書き込み特性が異なってしまうので、実際のＣＤ−Ｒドライブ装置やＣＤ−ＲＷドライブ装置においては、光ディスク毎にライトパワーを変えている。これは実際に光ディスクにいろいろなライトパワーで試し書きをしてそこを読むことで最適なライトパワーを求め、ライトパワーを決定している。しかし、ライトパワーが異なると、受光素子の帯域不足による擬似オフセット電圧分が変わってしまうことになり、半導体レーザの発光パワーが変動してサーボ信号などに悪影響を与えてしまい、信頼性の点で良くない。
【００２８】
実際のＣＤ−Ｒドライブ装置やＣＤ−ＲＷドライブ装置においては、書き込み速度が一定ではなく、複数の書き込み速度（倍速）での書き込みを可能としている。例えば、最近のＣＤ−Ｒドライブ装置やＣＤ−ＲＷドライブ装置では、４倍速と２倍速と１倍速での書き込みをサポートしている。これは光ディスクの品質などによりあえて書き込み速度を落としたり光ディスクのコピーを行う時には情報送出側の装置に情報受け側の装置のスピードを合わせたりするためである。書き込み速度の変化は受光素子の帯域不足による擬似オフセット電圧分を変えてしまうことになり、半導体レーザの発光パワーが変動してサーボ信号などに悪影響を与えてしまい、信頼性の点で良くない。
【００２９】
本発明は、必要な帯域を持つ受光素子を用いなくても所望の書き込み速度の光ディスク装置を実現でき、安価な受光素子を選択できて装置全体として安価な装置を実現できる光ディスク装置を提供することを目的とする。
また、本発明は、サンプルホールド回路のホールドステップによるレーザ光源の発光パワーの変動を無くすことができ、安定したサーボ制御が可能となり、ひいては装置の信頼性を上げることができる光ディスク装置を提供することを目的とする。
【００３０】
本発明は、光ディスク毎にライトパワーが変わってもレーザ光源の発光パワーの変動を無くすことができ、安定したサーボ制御が可能となり、ひいては装置の信頼性を上げることができる光ディスク装置を提供することを目的とする。
本発明は、書き込み速度が変わってもレーザ光源の発光パワーの変動を無くすことができ、安定したサーボ制御が可能となり、ひいては装置の信頼性を上げることができる光ディスク装置を提供することを目的とする。
本発明は、光ディスク装置組立て設備の簡素化が可能で組立て工程数の低減が可能となる光ディスク装置を提供することを目的とする。
【００３１】
【課題を解決するための手段】
上記目的を達成するため、請求項１に係る発明は、光ディスクに光を照射するレーザ光源のリードパワー発光及びライトパワー発光の制御を行うレーザコントロール回路であって、前記レーザ光源の発光パワーをモニタする受光素子からの出力電流を電圧に変換し増幅するアンプと、サンプリング信号によりリードパワー時に前記アンプの出力電圧をサンプリングし、ライトパワー時にホールドする第１サンプルホールド回路と、サンプリング信号により前記アンプの出力電圧をライトパワー時にサンプリングし、リードパワー時にホールドする第２サンプルホールド回路と、前記第１サンプルホールド回路の出力電圧と第１基準電圧を比較する第１比較器と、前記第２サンプルホールド回路の出力電圧と第２基準電圧を比較する第２比較器と、前記第１比較器及び前記第２比較器からの出力電圧に比例した電流を前記レーザ光源に出力し、かつリードパワー発光とライトパワー発光を切換えるレーザドライバと、ライトパワーからリードパワーに切換わった場合に前記第１サンプルホールド回路がリードパワーに対応する前記アンプの出力電圧になる前にサンプリングを行ったときに生ずるリードパワーに対応する前記アンプの出力電圧に対する擬似オフセットを打ち消す第１補正電圧を前記第１サンプルホールド回路の出力電圧または前記第１基準電圧に足し込む第１補正手段とを備え、前記第１補正電圧にはさらに前記第１サンプルホールド回路のホールドステップを打ち消す電圧を加えたものである。
【００３２】
請求項２に係る発明は、請求項１記載のレーザコントロール回路において、
ライトパワーと擬似オフセットの関係を表す関係式の補正係数を格納するメモリと、ライトパワーと前記メモリに格納された補正係数とにより前記第１補正電圧を計算する演算手段とを設けたものである。
【００３３】
請求項３に係る発明は、請求項２記載のレーザコントロール回路において、前記メモリは書き込み速度毎の前記補正係数を複数格納しており、ライトパワーと書き込み速度に合致した前記補正係数とにより前記第１補正電圧を計算する演算手段を設けたものである。
請求項４に係る発明は、請求項２または３記載のレーザコントロール回路において、前記第１サンプルホールド回路の出力電圧をモニタするモニタ手段を設け、前記第１補正電圧に前記第１サンプルホールド回路のホールドステップを打ち消す電圧を加える前に、前記受光素子の出力値がリードパワーに対応するレベルにあるときに前記第１サンプルホールド回路のサンプルホールドした出力電圧を前記モニタ手段でモニタすることによりホールドステップを求め、ライトパワーを複数回変化させながら各ライトパワーにて所定の書き込み速度で書き込みを開始した時点での前記モニタ手段でモニタした結果からホールドステップ分を除いて擬似オフセット分を求め、これらの擬似オフセット分と前記各ライトパワーとの関係から前記補正係数を求めるものである。
請求項５に係る発明は、光ディスクに光を照射するレーザ光源のリードパワー発光及びライトパワー発光の制御を行うレーザコントロール回路であって、前記レーザ光源の発光パワーをモニタする受光素子からの出力電流を電圧に変換し増幅するアンプと、サンプリング信号により前記アンプの出力電圧をリードパワー時にサンプリングし、ライトパワー時にホールドする第１サンプルホールド回路と、サンプリング信号により前記アンプの出力電圧をライトパワー時にサンプリングし、リードパワー時にホールドする第２サンプルホールド回路と、前記第１サンプルホールド回路の出力電圧と第１基準電圧を比較する第１比較器と、前記第２サンプルホールド回路の出力電圧と第２基準電圧を比較する第２比較器と、前記第１比較器及び前記第２比較器からの出力電圧に比例した電流を前記レーザ光源に出力し、かつリードパワー発光とライトパワー発光を切換えるレーザドライバと、リードパワーからライトパワーに切換わった場合に前記第２サンプルホールド回路がライトパワーに対応する前記アンプの出力電圧になる前にサンプリングを行ったときに生ずるライトパワーに対応する前記アンプの出力電圧に対する擬似オフセットを打ち消す補正電圧を前記第２サンプルホールド回路の出力電圧または前記第２基準電圧に足し込む補正手段とを備え、前記補正電圧にはさらに前記第２サンプルホールド回路のホールドステップを打ち消す電圧を加えたものである。
請求項６に係る発明は、請求項５記載のレーザコントロール回路において、
リードパワーと前記擬似オフセットの関係を表す関係式の補正係数を格納するメモリと、リードパワーと前記メモリに格納された補正係数とにより前記補正電圧を計算する演算手段とを設けたものである。
請求項７に係る発明は、請求項６記載のレーザコントロール回路において、前記メモリは読み込み速度毎の前記補正係数を複数格納しており、リードパワーと読み込み速度に合致した前記補正係数とにより前記補正電圧を計算する演算手段
を設けたものである。
請求項８に係る発明は、光ディスクに光を照射することにより情報の記録を行う光ディスク装置であって、請求項１〜７のいずれか１つに記載のレーザコントロール回路によりレーザ光源の光出力を制御するものである。
【００３４】
【発明の実施の形態】
図１は本発明の第１の参考形態のレーザコントロール回路を示す。この第１の参考形態は、前述した図１３に示すＣＤ−Ｒドライブ装置において、図１６に示すレーザコントロール回路１６の代わりに図１に示すレーザコントロール回路を用い、受光素子２１として応答速度が当該装置の書き込み速度で決まる必要応答速度より遅い受光素子を用いたものである。このレーザコントロール回路では、図１６に示すレーザコントロール回路１６において、サンプルホールド回路２６、２７の出力の擬似オフセットを補正することによって、受光素子２１の帯域不足により生ずる半導体レーザ１７の発光パワー制御誤差を補正するための補正手段が設けられている。
【００３５】
この補正手段は、サンプルホールド回路２６の出力に擬似オフセットを打ち消すための補正電圧１を足し込むことで、サンプルホールド回路２６の出力の擬似オフセットを打ち消す第１の補正手段と、サンプルホールド回路２７の出力の擬似オフセットを打ち消すための補正電圧２を基準電圧２に足し込むことで、サンプルホールド回路２７の出力の擬似オフセットを打ち消す第２の補正手段とからなる。
【００３６】
受光素子２１の帯域不足によるサンプルホールド回路２６の出力の擬似オフセット分を仮に＋αとすると、補正電圧１を−αとすれば図２に示すようにサンプルホールド回路２６の出力の擬似オフセットを打ち消してリードパワー制御（半導体レーザ１７の発光パワー制御）の制御誤差を無くすことができる。また、受光素子２１の帯域不足によるサンプルホールド回路２７の出力の擬似オフセット分を仮に−α’（ライトパワーの場合はサンプルホールド回路２７の出力を所望のパワーに対応する電圧より低めにサンプリングするので、負数となる）とすると、補正電圧２を−α’とすればサンプルホールド回路２７の出力の擬似オフセットを打ち消してライトパワー（半導体レーザ１７の発光パワー制御）の制御誤差を無くすことができる。
【００３７】
当然のことながら、第１の補正手段は、サンプルホールド回路２６の出力に補正電圧１を足し込んでサンプルホールド回路２６の出力の擬似オフセットを打ち消す代りに、基準電圧１をサンプルホールド回路２６の出力の擬似オフセット分＋α増やすことでサンプルホールド回路２６の出力の擬似オフセットを打ち消してリードパワー制御誤差を無くすようにすることができる。また、第２の補正手段は、サンプルホールド回路２７の出力に補正電圧２としての＋α’を足し込むことで、サンプルホールド回路２７の出力の擬似オフセットを打ち消してライトパワー制御誤差を無くすようにすることもできる。
【００３８】
この第１の参考形態によれば、受光素子２１として必要な帯域を持つ受光素子がなくても、所望の書き込み速度のＣＤ−Ｒドライブ装置を実現することができる。また、受光素子２１として必要な帯域よりも低速な受光素子を用いることができ、安価な受光素子を選択して用いて装置全体として安価な装置を実現することができる。なお、本発明は、第１の参考形態に限定されるものではなく、例えばＣＤ−ＲＷドライブ装置などの光ディスク装置にも適用することができる。
【００３９】
次に、本発明の第１の実施形態について説明する。図３はサンプルホールド回路に一定電圧を入力した場合におけるサンプルホールド回路の出力電圧波形の様子を示す。図３に示すように、サンプルホールド回路の出力電圧にはホールドステップと呼ばれるアナログスイッチのオン／オフによる誤差が生ずる。これにより、図４に示すように、前述した図１６に示すＣＤ−Ｒドライブ装置では、受光素子２１の帯域不足により生ずる半導体レーザ１７の発光パワー制御誤差に加えて、ホールドステップによる半導体レーザ１７の発光パワー制御誤差が生じてしまう。
【００４０】
そこで、第１の実施形態では、上記第１の参考形態において、第１の補正手段は、図５に示すように、受光素子２１の帯域不足によるサンプルホールド回路２６の出力の擬似オフセット＋αを補正する補正電圧−αと、サンプルホールド回路２６の出力電圧のホールドステップ＋βを補正する補正電圧−βとを加えた補正電圧１（＝−α−β）をサンプルホールド回路２６の出力電圧に足し込んでサンプルホールド回路２６の出力の擬似オフセット及びサンプルホールド回路２６の出力電圧のホールドステップを打ち消すことでリードパワー制御の制御誤差を無くす。ここに、図５ではライトパルスは省略してある。
【００４１】
当然のことながら、第１の補正手段は、サンプルホールド回路２６の出力に上記補正電圧１を足し込んでサンプルホールド回路２６の出力の擬似オフセット及びサンプルホールド回路２６の出力電圧のホールドステップを打ち消す代りに、サンプルホールド回路２６の出力の擬似オフセット分＋αと、サンプルホールド回路２６の出力電圧のホールドステップ＋βとを加えた補正電圧（＝＋α＋β）だけ基準電圧１を増やすことでサンプルホールド回路２６の出力の擬似オフセット及びサンプルホールド回路２６の出力電圧のホールドステップを打ち消してリードパワー制御の制御誤差を無くすようにすることができる。
【００４２】
また、第２の補正手段は、サンプルホールド回路２７の出力の擬似オフセット分−α’と、サンプルホールド回路２７の出力電圧のホールドステップ−β’とを加えた補正電圧２（＝−α’−β’）を基準電圧２に加算してサンプルホールド回路２７の出力の擬似オフセット及びサンプルホールド回路２７の出力電圧のホールドステップを打ち消すことでライトパワー制御の制御誤差を無くす。
【００４４】
この第１の実施形態によれば、サンプルホールド回路２６、２７の出力電圧のホールドステップによる半導体レーザ１７の発光パワー制御誤差が無くなるので、安定したサーボ制御が可能となり、ひいては装置の信頼性を上げることができる。
【００４５】
次に、本発明の第２の参考形態について説明する。前述したＣＤ−Ｒドライブ装置においては、図６に示すように、ライトパワーが異なると、受光素子２１の帯域不足によるサンプリングホールド回路２６の出力電圧における擬似オフセット電圧が変わってしまうことになる。つまり、ライトパワーの変化によりリードパワーに制御誤差が出てしまう。第２の参考形態は、ライトパワーの変化によるリードパワーの制御誤差を無くすようにしたものである。
【００４６】
図７に示すように擬似オフセット＋αとライトパワーとの関係が比例関係にあるとすると、受光素子２１の帯域不足による擬似オフセット＋αは
＋α＝Ａ×（ライトパワー）＋Ｂ
と表される。もちろん、擬似オフセット＋αとライトパワーとの関係は２次以上の関係にある場合もあるが、基本的な考え方は一次の関係にある場合と同じになるので、擬似オフセット＋αとライトパワーとの関係が一次の関係にある場合について説明する。
【００４７】
ここで、Ａは、ライトパワーがΔパワー変化したときにαが変化した分をΔαとすると、Ａ＝Δα／Δパワーとなる。また、Ｂはライトパワー＝０の時のαの値であり、基本的にはＢ＝０である。
この第２の参考形態では、上記第１の参考形態において、第１の補正手段は補正電圧１（＝−α）を図８に示す回路で−｛Ａ×（ライトパワー）＋Ｂ｝とすることにより、ライトパワーの変化によるリードパワーの制御誤差を無くす。図８に示す回路では、メモリ３０に上記補正係数Ａ、Ｂを格納しておく。演算手段としてのマイクロコンピュータ（以下ＣＰＵという）３１は、現在のライトパワーと、メモリ３０に格納されている補正係数Ａ、ＢよりＤ／Ａコンバータ３２から出力すべき補正電圧を計算する。この計算した補正電圧はＤ／Ａコンバータ３２によりアナログ電圧に変換されて補正電圧１となり、サンプルホールド回路２６の出力に足し込まれる。なお、第１の補正手段は、補正電圧１をサンプルホールド回路２６の出力に足し込む代りに、基準電圧１をＤ／Ａコンバータ３２からの補正電圧１＝Ａ×（ライトパワー）＋Ｂだけ増やすようにしてもよい。
【００４８】
同様に、第２の補正手段は補正電圧２（＝α’）を−Ａ×（リードパワー）−Ｂとすることにより、リードパワーの変化によるライトパワーの制御誤差を無くす。すなわち、メモリには、リードパワーと受光素子の帯域不足によるサンプリングホールド回路２７の出力電圧における擬似オフセット電圧との関係を表す一次式の補正係数を格納しておく。演算手段としてのＣＰＵは、現在のリードパワーと、そのメモリに格納されている補正係数よりＤ／Ａコンバータから出力すべき補正電圧を計算する。この計算した補正電圧はＤ／Ａコンバータによりアナログ電圧に変換されて補正電圧２となり、基準電圧２に加算される。なお、第２の補正手段は、補正電圧２を基準電圧２に加算する代りに、補正電圧２＝｛Ａ×（リードパワー）＋Ｂ｝をサンプリングホールド回路２７の出力電圧に加算してもよい。
【００４９】
この第２の参考形態では、ライトパワーが変わっても半導体レーザの発光パワーが変化しないので、安定したサーボ制御が可能となり、ひいては装置の信頼性を上げることができる。
【００５０】
次に、本発明の第３の参考形態について説明する。図９は前述したＣＤ−Ｒドライブ装置において、書き込み速度が変化した場合における受光素子２１の帯域不足による擬似オフセットを示す。図９から分かるように、書き込み速度の変化は受光素子２１の帯域不足による擬似オフセット電圧を変えてしまうことになる。つまり、書き込み速度の変化により半導体レーザ１７の発光パワー制御誤差が出てしまうことになる。
【００５１】
第３の参考形態は、書き込み速度の変化による半導体レーザ１７の発光パワー制御誤差を無くすようにしたものである。図１０は第３の参考形態において補正電圧１を生成する回路を示す。第３の参考形態では、上記第１の参考形態において、演算手段としてのメモリ３３には書き込み速度毎に異なる第２の参考形態における補正係数Ａ、Ｂ（Ａ一倍速，Ｂ一倍速、Ａ二倍速，Ｂ二倍速・・・Ａｎ倍速、Ｂｎ倍速）を複数格納しておく。ＣＰＵ３４は、現在の書き込み速度から、メモリ３３より現在の書き込み速度に合致した補正係数（例えばＡｎ倍速，Ｂｎ倍速）を読み込み、この補正係数と現在のライトパワーからＤ／Ａコンバータ３５から出力すべき補正電圧を計算する。この計算した補正電圧はＤ／Ａコンバータ３５によりアナログ電圧に変換されて補正電圧１＝−｛Ａｎ倍速×（ライトパワー）＋Ｂｎ倍速｝となり、サンプルホールド回路２６の出力に足し込まれる。なお、第１の補正手段は、補正電圧１をサンプルホールド回路２６の出力に足し込む代りに、基準電圧１をＤ／Ａコンバータ３２からの補正電圧１＝｛Ａｎ倍速×（ライトパワー）＋Ｂｎ倍速｝だけ増やすようにしてもよい。
【００５２】
同様に、第２の補正手段では、書き込み速度毎に異なる第２の参考形態における補正係数（リードパワーと受光素子の帯域不足によるサンプリングホールド回路２７の出力電圧における擬似オフセット電圧との関係を表す一次式の補正係数）を複数格納しておく。演算手段としてのＣＰＵは、現在のリードパワーと、そのメモリに格納されている現在の書き込み速度に対応する補正係数よりＤ／Ａコンバータから出力すべき補正電圧を計算する。この計算した補正電圧はＤ／Ａコンバータによりアナログ電圧に変換されて補正電圧２となり、基準電圧２に足し込まれる。なお、第２の補正手段は、補正電圧２を基準電圧２に足し込む代りに、補正電圧２をサンプリングホールド回路２７の出力電圧に足し込むようにしてもよい。
【００５３】
この第３の参考形態では、書き込み速度が変わっても半導体レーザの発光パワーが変化しないので、安定したサーボ制御が可能となり、ひいては装置の信頼性を上げることができる。
【００５４】
図１１は本発明の第２の実施形態のレーザコントロール回路を示す。上記第２の参考形態及び第３の参考形態では、補正電圧１、補正電圧２を求めるためには、一度半導体レーザ１７の出射光量を計れるパワーメータなどで半導体レーザ１７の出射光量をモニタしながら補正電圧１、補正電圧２を求める作業を行わなければならない。これはＣＤ−Ｒドライブ装置の組立て設備にとって大きな負担となる。
【００５５】
そこで、第２の実施形態は、上記第３の参考形態において、パワーメータを使わずに補正係数Ａ、Ｂを求めるようにしたものであり、リードパワー側にはサンプルホールド回路２６の出力電圧をモニタするモニタ手段としてのＡ／Ｄコンバータ３６を配している。Ａ／Ｄコンバータ３６は図１２に示す書き込み開始時点でサンプルホールド回路２６の出力電圧をモニタしてデジタル値に変換し、そのデジタル値をＣＰＵ３４ａに渡す。
【００５６】
ＣＰＵ３４ａは、まず、受光素子２１の出力値が十分にリードパワーに対応するレベルまで復帰する時間間隔でリード用のサンプリング信号１をサンプルホールド回路２６に発行する。これにより、サンプルホールド回路２６の出力電圧は受光素子２１の帯域不足による擬似オフセットがなくなるので、ＣＰＵ３４ａはそのサンプルホールド回路２６の出力電圧に対するＡ／Ｄコンバータ３６のモニタ結果からサンプルホールド回路２６の出力電圧のホールドステップ、つまり、アナログスイッチのオン／オフによる誤差を補正する補正電圧βを求める。
【００５７】
次に、ＣＰＵ３４ａは所定の書き込み速度で書き込みを開始し、Ａ／Ｄコンバータ３６は図１２に示す書き込み開始時点でサンプルホールド回路２６の出力電圧をモニタしてデジタル値に変換する。この時、Ａ／Ｄコンバータ３６によりモニタするサンプルホールド回路２６の出力電圧は基準電圧１に対してサンプルホールド回路２６の出力電圧のホールドステップによる擬似オフセット分と受光素子２１の帯域不足によるサンプルホールド回路２６の出力電圧の擬似オフセット分とを足したものとなる。
【００５８】
そこで、ＣＰＵ３４ａは、Ａ／Ｄコンバータ３６のモニタ結果から先に求めたサンプルホールド回路２６の出力電圧のホールドステップによる擬似オフセット分を除いて受光素子２１の帯域不足によるサンプルホールド回路２６の出力電圧の擬似オフセット分を求める。
【００５９】
そして、ＣＰＵ３４ａは、レーザドライバ２５にライトパワーを複数回変化させながら各ライトパワーにて上述のように書き込み開始、Ａ／Ｄコンバータ３６によるモニタを行わせてＡ／Ｄコンバータ３６のモニタ結果からサンプルホールド回路２６の出力電圧のホールドステップによる擬似オフセット分を除いた受光素子２１の帯域不足によるサンプルホールド回路２６の出力電圧の擬似オフセット分を求め、これらの擬似オフセット分と上記各ライトパワーとの関係から補正係数Ａ、Ｂを求める。
【００６０】
次に、ＣＰＵ３４ａは、書き込み速度を変えて上述の動作を繰り返すことにより、各書き込み速度での補正係数Ａ、Ｂを求め、これらの補正係数を不揮発性のメモリ３３に記憶させる。これにより、パワーメータを使わずに補正係数を求めることができ、一度補正係数を求めれば装置の立ち上げの度に補正係数を求める動作を行わないで済む。なお、ＣＰＵ３４ａは、第３の参考形態と同様に現在のリードパワーと、メモリ３３に格納されている現在の書き込み速度での補正係数よりＤ／Ａコンバータ３５から出力すべき補正電圧を計算し、この計算した補正電圧はＤ／Ａコンバータ３５によりアナログ電圧に変換されて補正電圧１となる。
【００６１】
また、ライトパワー側は同様にサンプルホールド回路２７の出力電圧をモニタするモニタ手段としてのＡ／Ｄコンバータ３７を配している。このＡ／Ｄコンバータ３７は読み出し開始時点でサンプルホールド回路２７の出力電圧をモニタしてデジタル値に変換し、そのデジタル値をＣＰＵ３８に渡す。このＣＰＵ３８は、まず、受光素子２１の出力値が十分にライトパワーに対応するレベルまで復帰する時間間隔でライト用のサンプリング信号２をサンプルホールド回路２７に発行する。これにより、サンプルホールド回路２７の出力電圧は受光素子２１の帯域不足による擬似オフセットがなくなるので、ＣＰＵ３８はそのサンプルホールド回路２７の出力電圧に対するＡ／Ｄコンバータ３７のモニタ結果からサンプルホールド回路２７の出力電圧のホールステップ、つまり、アナログスイッチのオン／オフによる誤差を補正する補正電圧βを求める。
【００６２】
次に、ＣＰＵ３８は所定の読み出し速度で読み出しを開始し、Ａ／Ｄコンバータ３７は読み出し開始時点でサンプルホールド回路２７の出力電圧をモニタしてデジタル値に変換する。この時、Ａ／Ｄコンバータ３７によりモニタするサンプルホールド回路２７の出力電圧は基準電圧２に対してサンプルホールド回路２７の出力電圧のホールドステップによる擬似オフセット分と受光素子２１の帯域不足によるサンプルホールド回路２７の出力電圧の擬似オフセット分とを足したものとなる。
【００６３】
そこで、ＣＰＵ３８は、Ａ／Ｄコンバータ３７のモニタ結果から先に求めたサンプルホールド回路２７の出力電圧のホールドステップによる擬似オフセット分を除いて受光素子２１の帯域不足によるサンプルホールド回路２７の出力電圧の擬似オフセット分を求める。
【００６４】
そして、ＣＰＵ３８は、レーザドライバ２５にリードパワーを複数回変化させながら各リードパワーにて上述のように読み出し開始、Ａ／Ｄコンバータ３７によるモニタを行わせてＡ／Ｄコンバータ３７のモニタ結果からサンプルホールド回路２７の出力電圧のホールドステップによる擬似オフセット分を除いた受光素子２１の帯域不足によるサンプルホールド回路２７の出力電圧の擬似オフセット分を求め、これらの擬似オフセット分と上記各リードパワーとの関係から補正係数を求める。
【００６５】
次に、ＣＰＵ３８は、読み出し速度を変えて上述の動作を繰り返すことにより、各読み出し速度での補正係数を求め、これらの補正係数を不揮発性のメモリ３９に記憶させる。なお、ＣＰＵ３８は、第３の参考形態と同様に現在のライトパワーと、メモリ３９に格納されている現在の読み出し速度に対応した補正係数よりＤ／Ａコンバータ４０から出力すべき補正電圧を計算し、この計算した補正電圧はＤ／Ａコンバータ４０によりアナログ電圧に変換されて補正電圧２となる。
【００６６】
この第２の実施形態によれば、パワーメータなどを用いずに補正係数を求めることができ、ＣＤ−Ｒドライブ装置の組立て設備の簡略化が可能となる。また、自動的にライトパワー調整、リードパワー調整を行うことができ、装置の組立て工数の低減が可能である。
【００６７】
【発明の効果】
以上のように本発明によれば、受光素子として必要な帯域を持つ受光素子がなくても、所望の書き込み速度のＣＤ−Ｒドライブ装置などの光ディスク装置を実現することができる。また、受光素子として必要な帯域よりも低速な受光素子を用いることができ、安価な受光素子を選択して用いて装置全体として安価な装置を実現することができる。
【００６８】
さらに、サンプルホールド回路の出力電圧のホールドステップによるレーザ光源の発光パワー制御誤差を無くすことができ、安定したサーボ制御が可能となり、ひいては装置の信頼性を上げることができる。
【００６９】
本発明によれば、ライトパワーが変わってもレーザ光源の発光パワーが変化しないので、安定したサーボ制御が可能となり、ひいては装置の信頼性を上げることができる。
【００７０】
本発明によれば、書き込み速度が変わってもレーザ光源の発光パワーが変化しないので、安定したサーボ制御が可能となり、ひいては装置の信頼性を上げることができる。
【００７１】
本発明によれば、パワーメータなどを用いずに補正係数を求めることができ、ＣＤ−Ｒドライブ装置などの光ディスク装置の組立て設備の簡略化が可能となる。また、自動的にライトパワー調整、リードパワー調整を行うことができ、装置の組立て工数の低減が可能である。
【図面の簡単な説明】
【図１】  本発明の第１の参考形態のレーザコントロール回路を示すブロック図である。
【図２】  同第１の参考形態を説明するための波形図である。
【図３】  サンプルホールド回路に一定電圧を入力した場合におけるサンプルホールド回路の出力電圧波形の様子を示す波形図である。
【図４】  従来のＣＤ−Ｒドライブ装置においてリードパワー制御誤差が発生する様子を示す波形図である。
【図５】  本発明の第１の実施形態を説明するための波形図である。
【図６】  ＣＤ−Ｒドライブ装置においてライトパワーの変化で受光素子の帯域不足によるサンプリングホールド回路の出力電圧における擬似オフセット電圧が変わる様子を示す波形図である。
【図７】  ＣＤ−Ｒドライブ装置の擬似オフセットとライトパワーとの関係を示す特性図である。
【図８】  本発明の第２の参考形態における第１の補正手段を示すブロック図である。
【図９】  ＣＤ−Ｒドライブ装置において、書き込み速度が変化した場合における受光素子の帯域不足による擬似オフセットを示す波形図である。
【図１０】  本発明の第３の参考形態において補正電圧１を生成する回路を示すブロック図である。
【図１１】  本発明の第２の実施形態のレーザコントロール回路を示すブロック図である。
【図１２】  同第２の実施形態を説明するための波形図である。
【図１３】  一般的なＣＤ−Ｒドライブ装置の構成を示すブロック図である。
【図１４】  光ピックアップの構成を示す図である。
【図１５】  リードパワーの制御のみを行う光ディスク装置のレーザコントロール回路の構成を示すブロック図である。
【図１６】  ＣＤ−Ｒドライブ装置のレーザコントロール回路の構成を示す図である。
【図１７】  サンプルホールド回路を示す回路図である。
【図１８】  ＣＤ−Ｒドライブ装置においてＣＤ−Ｒにデータを書き込む時の半導体レーザの発光パワーを示す波形図である。
【図１９】  ＣＤ−Ｒドライブ装置におけるＬＤの出力、サンプリング信号１、サンプリング信号２の波形例を示す波形図である。
【図２０】  ＣＤ−Ｒドライブ装置において受光素子の帯域不足による擬似オフセットが発生する様子を示す波形図である。
【図２１】  ＣＤ−Ｒドライブ装置を説明するための図である。
【符号の説明】
１７      半導体レーザ
２１      受光素子
２３      アンプ
２５      レーザドライバ
２６、２７      サンプルホールド回路
２８、２９      比較器
３０、３３、３９      メモリ
３１、３４、３４ａ、３８      ＣＰＵ
３２、３５、４０      Ｄ／Ａコンバータ
３６、３７      Ａ／Ｄコンバータ
【図１】
0004077283.tif 000002
【図２】
0004077283.tif 000003
【図３】
0004077283.tif 000004
【図４】
0004077283.tif 000005
【図５】
0004077283.tif 000006
【図６】
0004077283.tif 000007
【図７】
0004077283.tif 000008
【図８】
0004077283.tif 000009
【図９】
0004077283.tif 000010
【図１０】
0004077283.tif 000011
【図１１】
0004077283.tif 000012
【図１２】
0004077283.tif 000013
【図１３】
0004077283.tif 000014
【図１４】
0004077283.tif 000015
【図１５】
0004077283.tif 000016
【図１６】
0004077283.tif 000017
【図１７】
0004077283.tif 000018
【図１８】
0004077283.tif 000019
【図１９】
0004077283.tif 000020
【図２０】
0004077283.tif 000021
【図２１】
0004077283.tif 000022